(57)【要約】【課題】  軽量床衝撃音遮断性能の良い床構造を提供することである。【解決手段】  床構造１は、コンクリートスラブ３の上面に多数の不陸調整材４を介して熱可塑性発泡樹脂からなる床下地材５が密接状に敷き詰められ、該床下地材５の上に制振面材６を介して仕上材７が設置され、床下地材５の下部側はエラスティックな独立気泡の熱可塑性発泡樹脂からなるものである。【選択図】図１
2006265947.tif 000002
【特許請求の範囲】
【請求項１】
コンクリートスラブの上面に多数の不陸調整材を介して熱可塑性発泡樹脂からなる床下地材が密接状に敷き詰められ、該床下地材の上に制振面材を介して仕上材が設置され、床下地材の下部側がエラスティックな独立気泡の熱可塑性発泡樹脂からなることを特徴とする床構造。
【請求項２】
制振面材は面密度が９ｋｇ／ｍ２以上であることを特徴とする請求項１に記載の床構造。
【請求項３】
床下地材の下部には空隙部または中空部が設けられたことを特徴とする請求項１または２に記載の床構造。
【請求項４】
不陸調整材はコンクリートスラブの上面に増打層を介して設置されたことを特徴とする請求項１〜３のいずれかに記載の床構造。
【請求項５】
不陸調整材は下部が増打層に埋没したことを特徴とする請求項４に記載の床構造。
【請求項６】
不陸調整材は団子状または長尺状であることを特徴とする請求項４または５に記載の床構造。
【請求項７】
制振面材は捨張材を介して床下地材に設置されたことを特徴とする請求項１〜６のいずれかに記載の床構造。
【請求項８】
端部における床下地材は壁面より離れた際根太に当接され、幅木の下面にはヒレが設置されていることを特徴とする請求項１〜７のいずれかに記載の床構造。
【発明の詳細な説明】
【技術分野】
【０００１】
本発明は床構造に関するものである。
【背景技術】
【０００２】
従来の集合住宅の各住戸における床構造２３としては、図６に示すように、コンクリートスラブ２４の上にモルタルなどの不陸調整材２５を介して発泡プラスチック製の床下地材２６が敷き詰められ、この床下地材２６の上に仕上材２７が設置されて構成されている。またその他の床構造としては、例えば特開平１０−３３１４０１号公報の発明が知られている。
【特許文献１】特開平１０−３３１４０１号公報
【発明の開示】
【発明が解決しようとする課題】
【０００３】
しかし、上記のような床構造は断熱性、歩行の快適さ、安全性および温かさなどに優れているが、軽量床衝撃音の遮音性能が不十分であるという問題があった。
【０００４】
本願発明は上記のような問題に鑑みてなされたものであり、その目的は、軽量床衝撃音遮断性能の良い床構造を提供することである。
【課題を解決するための手段】
【０００５】
本願発明の床構造は、コンクリートスラブの上面に多数の不陸調整材を介して熱可塑性発泡樹脂からなる床下地材が密接状に敷き詰められ、該床下地材の上に制振面材を介して仕上材が設置され、床下地材の下部側がエラスティックな独立気泡の熱可塑性発泡樹脂からなることを特徴とする。また制振面材は面密度が９ｋｇ／ｍ２以上であることを含む。
また床下地材の下部には空隙部または中空部が形成されていることを含む。また不陸調整材はコンクリートスラブの上面に増打層を介して設置されたことを含む。また不陸調整材は下部が増打層に埋没したことを含む。また不陸調整材は団子状または長尺状であることを含む。また制振面材は捨張材を介して床下地材に設置されたことを含む。また端部における床下地材は壁面より離れた際根太に当接され、幅木の下面にはヒレが設置されていることを含むものである。
【発明の効果】
【０００６】
軽量床衝撃音の振動エネルギーを制振面材で吸収して、コンクリートスラブに伝えないため遮音性能を良くすることができる。また多数の不陸調整材を介して密接状に敷き詰められた床下地材を設置したことにより、重量床衝撃音の振動エネルギーを効果的に吸収することができる。また下地材の下部に中空部が形成されたことにより、この中空部で軽量床衝撃音の振動エネルギーを吸収することができる。また床下地材の下部が扁平に変形した不陸調整材で密実になったので、後施工の間仕切壁で区切られた隣室同士の物音を完全に遮断することができる。また不陸調整材の下に設けた増打層によりスラブ厚が大きくなったため、重量床衝撃音および軽量床衝撃音の振動エネルギーを効果的に吸収することができるとともに、いわゆる太鼓現象という、共振現象を防ぐこともできる。また不陸調整材の下部が増打層に埋没したことにより、コンクリートスラブとの一体化が容易になるとともに、不陸調整も簡単にできる。また流動性を有する増打層と不陸調整材とを介して床下地材を設置したことにより、レベル調整を簡単かつ精度良く行うことができる。
【発明を実施するための最良の形態】
【０００７】
以下、本願発明の床構造の実施の形態を図面により説明するが、各実施の形態において同じ構成は同じ符号を付して説明し、異なった構成にのみ異なった符号を付して説明する。
【０００８】
図１は、第１の実施の形態の床構造１である。この床構造１は、集合住宅の各住戸（一
住戸）２におけるものであり、コンクリートスラブ３の上面に設置された不陸調整材４の
上に床下地材５が密接して敷き詰められ、該床下地材５の上面に制振面材６を介して捨張り材１９および仕上材７が設置されて構成されている。また仕上材７の端部は壁面８に設置されたヒレ付き幅木９で覆われるとともに、床下地材５の端部は壁面８の際根太１０に当接されている。
【０００９】
この床下地材５は熱可塑性発泡樹脂複合体であり、ポリスチレン系樹脂やポリオレフィ
ン系樹脂、ウレタン樹脂などの発泡樹脂からなる上部材１１と、エラスティックな独立気泡の熱可塑性発泡樹脂からなる下部材１２とから構成されている。この熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜４０ｇ／ｌの発泡形成体が使用される。また上部材１１の上面には硬質熱可塑性発泡樹脂の桟木１３が埋設され、これに仕上材７が釘打ちされている。
【００１０】
また不陸調整材４はモルタルであり、適宜間隔ごとに多数設置された団子状のものが床
下地材５で扁平に押し潰されて、コンクリートスラブ３との間を密実にしている。
【００１１】
また制振面材６は面密度が９ｋｇ／ｍ２以上のアスファルトシートやゴムシートなどの他、振動を吸収する吸収材が使用される。
【００１２】
また図２は第２の実施の形態の床構造１４であり、上記の第１の実施の形態の床構造１における床下地材５の下部に空隙部１５および中空部１６を設けたものである。また同図の（２）における中空部１６は上記空隙部１５を底板１７で塞いで形成したものであり、また同図の（３）は格子状の空隙部１５を底板１７で塞いで多数の中空部１６を形成したものであり、また同図の（４）は床下地材５が壁面より離れた際根太１０に当接されたものであり、これ以外は上記の第１の実施の形態の床構造１における床下地材５と同じ構成である。
【００１３】
この底板１７はエラスティックな独立気泡の熱可塑性発泡樹脂からなり、この熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜２０ｇ／ｌの発泡形成体が使用される。
【００１４】
このような空隙部１５または中空部１６は、制振面材６とともに軽量床衝撃音の振動エネルギーを吸収するので床の遮音性を高める。
【００１５】
また図３は第３の実施の形態の床構造１８である。この床構造１８は第１の実施の形態の床構造１８における床下地材５と制振面材６との間にパーティクルボードなどの捨張材１９を設けたものであり、これ以外は上記の第１の実施の形態の床構造１と同じ構成である。このように仕上材７の下に捨張材１９を設けると、間仕切壁を支える下地を強化できるとともに、仕上材７を張る前に、床下地材５を内装工事の足場として使用することができるため、作業の効率化を図ることができる。
【００１６】
また図４は第４の実施の形態の床構造２０である。この床構造２０は、コンクリート
スラブ３の上面に、モルタルなどで適宜厚さの増打層２１が形成され、この上に不陸調整
材４が設置されたものであり、これ以外は上記の第１の実施の形態の床構造１と同じ構成
である。
【００１７】
また同図の（２）に示すように、増打層２１に扁平な不陸調整材４の下部が埋没されて一体となり、この埋没によってレベル調整および不陸調整が行われている。このように増打層２１と不陸調整材４とが一体となってスラブ厚を形成することにより、重量床衝撃音および軽量床衝撃音の影響を少なくすることができる。
【００１８】
なお、このコンクリートスラブ３の上面に適宜厚さの増打層２１を形成する構成は、上
記の第２および第３の実施の形態の床構造１４、１８にも適用することができる。
【００１９】
このような床下地材５の上面に制振面材６を設けたことより、下記の表１に示すように、ＪＩＳ１４４０の評価方法に基づく軽量床衝撃音の１２５Ｈｚ〜２ｋＨｚおけるレベルを低減させて遮音性が高められることを確認することができた。
【００２０】
なお、この下記の表１における試験体（Ａ）は図６のものであり、試験体（Ｂ）は図１の床構造からエラスチックな熱可塑性発泡樹脂材を除いたもの、試験体（Ｃ）は図２の（３）の床構造から捨張材と制振面材を除いたもの、試験体（Ｄ）〜（Ｆ）は図２の（３）の床構造であり、試験体（Ｇ）は図２の（４）の床構造（独立際根太工法）である。
【００２１】
【表１】
2006265947.tif 000003
【００２２】
次に、床構造の構築方法を第４の実施の形態の床構造２０に基づいて説明する。はじめに、コンクリートスラブ３の上面にプライマーなどの接着剤を塗布した後、この上に適宜厚さのモルタルを塗って増打層２１を形成する。この増打層２１は、例えば１列目の床下地材５を設置する箇所にのみ形成する。
【００２３】
次に、図５に示すように、この増打層２１が乾燥する前に、この上にモルタルで団子状の不陸調整材４を多数設置し、この上に床下地材５を設置する。この不陸調整材の少なくとも一列（二列または三列）を連続した長尺状のものにすることにより、不陸調整材の設置された空間を細かく区切って空気振動を互いに干渉させて打ち消すようにする。また、二列または三列の長尺状のものは互いに接続されている。次に、部屋の内周に設置した際根太９の上面を基準線として、床下地材５を下側に押し込むと、不陸調整材４が扁平に押し潰されてコンクリートスラブ３との間をほぼ密実にするとともに、不陸調整材４の下部が増打層２１に埋没して一体となる。なお、上記のように長尺状の不陸調整材４は、増打層２１を形成しない場合も適用することができる。
【００２４】
次に、１列目の床下地材５を設置した後、２列目の床下地材を設置する箇所にモルタル
を塗って、２列目の増打層２１を形成する。次に、上記と同じ方法で床下地材５を設置するとともに、この工程を順次繰り返すことによって、コンクリートスラブ３の全面に床下地材５を密接に敷き詰める。次に、この床下地材５の上に制振面材６を張り込み、この上に仕上材７を敷き詰めて床構造２０を構築する。
【００２５】
なお、床下地材５は１列ずつ設置したが、これに限らず、２列または３列などの複数列
ずつ設置することができ、増打層２１も複数列の範囲に形成することができる。さらに、床下地材５を列単位ではなく、１個ずつ設置することもでき、１個ずつ設置する箇所に増打層２１を形成することもできる。
【図面の簡単な説明】
【００２６】
【図１】第１の実施の形態の床構造であり、（１）は断面図、（２）は同一部省略平面図である。
【図２】第２の実施の形態の床構造であり、（１）〜（４）は断面図である。
【図３】第３の実施の形態の床構造であり、（１）は断面図、（２）は同一部省略平面図である。
【図４】第４の実施の形態の床構造であり、（１）は断面図、（２）は要部の拡大断面図である。
【図５】床構造の構築方法を示す平面図である。
【図６】従来の床構造の断面図である。
【符号の説明】
【００２７】
１、１４、１８、２０、２３  床構造
２  住戸
３、２４  コンクリートスラブ
４、２５  不陸調整材
５、２６  床下地材
６  制振面材
７、２７  仕上材
８  壁面
９  幅木
１０  際根太
１１  上部材
１２  下部材
１３  桟木
１５  空隙部
１７  底板
１９  捨張材
２１  増打層
【図１】
2006265947.tif 000004
【図２】
2006265947.tif 000005
【図３】
2006265947.tif 000006
【図４】
2006265947.tif 000007
【図５】
2006265947.tif 000008
【図６】
2006265947.tif 000009